(57)【特許請求の範囲】
【請求項１】
複数のＢＳ協調受信ネットワークのサービスＢＳにおいて、同時アップリンクＨＡＲＱプロセスを実装するために使用される方法であって、前記サービスＢＳは、その同時アップリンクＨＡＲＱプロセスの応答時間制限が終了した後に、信号結合を完了し、前記方法は、
ａ）前記同時アップリンクＨＡＲＱプロセスに対してモバイル端末によって送信された第１のアップリンク信号を受信するステップと、
ｂ）前記同時アップリンクＨＡＲＱプロセスの前記応答時間制限が終了する前に、前記モバイル端末に遅延指示情報を送信し、前記情報は、前記同時アップリンクＨＡＲＱプロセスに対する追跡アップリンク信号の送信を遅らせるように指示するステップと、を含み、
前記方法は、
ｉ）前記第１のアップリンク信号を受信した後に、少なくとも１つの補助ＢＳによって転送される、転送された信号を受信するステップと、
ｉｉ）前記受信した第１のアップリンク信号を前記転送された信号に結合し、前記結合の結果に基づいて、前記同時アップリンクＨＡＲＱプロセスに対する前記追跡アップリンク信号を送信するように前記モバイル端末に指示するステップと、
をさらに含む方法。
【請求項２】
前記ステップｂは、
−前記同時アップリンクＨＡＲＱプロセスの前記応答時間制限が終了する前に、前記モバイル端末にＡＣＫ情報を送信し、これによって、前記同時アップリンクＨＡＲＱプロセスに対する追跡アップリンク信号の送信を遅らせるように前記モバイル端末に指示するためのステップ
を含む請求項１に記載の方法。
【請求項３】
前記ステップｂの後に、前記方法は、
−前記モバイル端末において、前記同時アップリンクＨＡＲＱプロセスに対する前記アップリンク信号の送信の遅延のために解放された前記無線資源を再び割り当てるステップ
をさらに含む請求項２に記載の方法。
【請求項４】
前記ステップｉｉは、
−前記結合が失敗したときは、前記第１のアップリンク信号を再転送するように前記モバイル端末に指示するステップを含み、
−そうでないときには、新しい初期転送を開始するように前記モバイル端末に指示するステップを含む、
請求項１に記載の方法。
【請求項５】
前記モバイル端末は、３ＧＰＰ  Ｌｏｎｇ  Ｔｅｒｍ  Ｅｖｏｌｕｔｉｏｎ、または３ＧＰＰ  Ｌｏｎｇ  Ｔｅｒｍ  Ｅｖｏｌｕｔｉｏｎのさらに発展形に基づく請求項１乃至４のいずれか１項に記載の方法。
【請求項６】
複数のＢＳ協調受信ネットワークのモバイル端末において、同時アップリンクＨＡＲＱプロセスを実装するために使用される方法であって、前記同時アップリンクＨＡＲＱプロセスの応答時間制限が終了した後に、サービスＢＳは信号結合を完了し、前記方法は、
Ａ）前記同時アップリンクＨＡＲＱプロセスに対する第１のアップリンク信号を送信し、前記第１のアップリンク信号の前記データをバッファに格納するステップと、
Ｂ）その同時アップリンクＨＡＲＱの前記応答時間制限が終了する前に、前記サービスＢＳによって送信された遅延指示の情報を受信し、前記情報は、前記同時アップリンクＨＡＲＱプロセスに対する前記追跡アップリンク信号の送信を遅らせるように指示するステップと、
Ｃ）前記同時アップリンクＨＡＲＱプロセスに対する前記追跡アップリンク信号の送信を遅らせ、前記サービスＢＳから指示の情報を待つステップと、
Ｄ）前記サービスＢＳから前記指示の情報を受信するステップと、
Ｅ）前記指示の情報に基づいて、前記同時アップリンクＨＡＲＱプロセスに対する前記追跡アップリンク信号を送信するステップと、
を含む方法。
【請求項７】
前記ステップＥは、
−前記指示の情報が前記モバイル端末に再転送するように指示したときに、前記同時アップリンクＨＡＲＱプロセスに対して、ステップＡの前記バッファに格納したデータを含む再転送された信号を送信するステップ
を含む請求項６に記載の方法。
【請求項８】
前記モバイル端末は、３ＧＰＰ  Ｌｏｎｇ  Ｔｅｒｍ  Ｅｖｏｌｕｔｉｏｎ、または３ＧＰＰ  Ｌｏｎｇ  Ｔｅｒｍ  Ｅｖｏｌｕｔｉｏｎのさらに発展形に基づく請求項６に記載の方法。
【請求項９】
複数のＢＳ協調受信ネットワークのサービスＢＳにおいて、同時アップリンクＨＡＲＱプロセスを実装するために使用される方法であって、前記同時アップリンクＨＡＲＱプロセスは、複数のＢＳ協調されるネットワークの遅延に一致する応答時間制限を持ち、前記方法は、
ｍ）同時アップリンクＨＡＲＱプロセスに対するモバイル端末によって送信された第２のアップリンク信号を受信するステップを含み、
ｘ）前記第２のアップリンク信号を受信した後に、少なくとも１つの補助ＢＳによって転送される、転送された信号を受信するステップをさらに含み、
ステップｍおよびｘの後に、
−前記第２のアップリンク信号を前記転送された信号に結合するステップと、
−前記結合の後に、前記同時アップリンクＨＡＲＱプロセスの受信応答を前記モバイル端末に送信するステップと、
をさらに含む方法。
【請求項１０】
前記モバイル端末は、前記アップリンクＨＡＲＱプロセスに対する前記追跡アップリンク信号の送信を遅らせ、前記第２のアップリンク信号を送信した後に、前記サービスＢＳから前記指示の情報を待ち、前記方法は、
−前記モバイル端末において、前記同時アップリンクＨＡＲＱプロセスに対する前記アップリンク信号の送信の遅延により解放された前記無線資源を再び割り当てるステップ
をさらに含む請求項９に記載の方法。
【請求項１１】
前記受信応答は、
−ＡＣＫまたはＮＡＣＫ情報と、
−ＰＤＣＣＨ制御情報と、
の少なくとも１つを含む請求項９に記載の方法。
【請求項１２】
前記モバイル端末は、３ＧＰＰ  Ｌｏｎｇ  Ｔｅｒｍ  Ｅｖｏｌｕｔｉｏｎのさらに発展形に基づく請求項９乃至１１のいずれか１項に記載の方法。
【請求項１３】
複数のＢＳ協調受信ネットワークのモバイル端末において、同時アップリンクＨＡＲＱプロセスを実装するために使用される方法であって、前記同時アップリンクＨＡＲＱプロセスは、前記複数のＢＳ協調受信ネットワークの遅延に一致する応答時間制限を持ち、前記方法は、
Ｏ）前記同時アップリンクＨＡＲＱプロセスに対する第２のアップリンク信号を送信し、前記第２のアップリンク信号の前記データをバッファに格納するステップと、
Ｐ）前記同時アップリンクＨＡＲＱプロセスに対する前記追跡アップリンク信号の送信を遅らせ、前記サービスＢＳから指示の情報を待つステップと、
Ｒ）前記サービスＢＳから前記指示の情報を受信するステップと、
Ｓ）前記指示の情報に基づいて、前記同時アップリンクＨＡＲＱプロセスに対する前記追跡アップリンク信号を送信するステップと、
を含む方法。
【請求項１４】
前記ステップＳは、
−前記指示の情報が前記モバイル端末に再転送するように指示したときに、前記同時アップリンクＨＡＲＱプロセスに対して、ステップＯの前記バッファに格納されたデータを含む再転送された信号を送信するステップを含む
請求項１３に記載の方法。
【請求項１５】
前記モバイル端末は、３ＧＰＰ  Ｌｏｎｇ  Ｔｅｒｍ  Ｅｖｏｌｕｔｉｏｎのさらに発展形に基づく請求項１３または１４に記載の方法。
【発明の詳細な説明】
【技術分野】
【０００１】
本発明は、複数のＢＳ協調受信ネットワークに関し、特に、複数のＢＳ協調受信ネットワークにおいてアップリンクＨＡＲＱプロセスを実装するために使用される方法および装置に関する。
【背景技術】
【０００２】
３ＧＰＰ  Ｌｏｎｇ  Ｔｅｒｍ  Ｅｖｏｌｕｔｉｏｎ（ＬＴＥ）ネットワークおよび３ＧＰＰ  Ｌｏｎｇ  Ｔｅｒｍ  Ｅｖｏｌｕｔｉｏｎ（ＬＴＥ−Ａｄｖａｎｃｅｄ、ＬＴＥＡ）ネットワークのさらに発展形において、ＣｏＭＰ（Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ：協調マルチポイント送受信）は、システムの性能を改善するための非常に競争力のある選択肢である。
【０００３】
アップリンク・セル間ＣｏＭＰ（本明細書では複数のＢＳ協調受信とも呼ぶ）において、中核となる考えは次のとおりである。モバイル端末について、システムは、サービスＢＳおよび少なくとも１つの補助ＢＳを決定し、モバイル端末によって送信されたアップリンク信号は、サービスＢＳおよび個々の補助ＢＳによって受信され、次に、補助ＢＳはアップリンク信号をサービスＢＳに転送し、サービスＢＳは、それ自体で直接受信した信号を補助ＢＳによって転送された信号に結合し、結合による利得を得る。これは、信号受信の成功率を改善し、再転送の数を減らすのに役立つ。
【０００４】
図１は、典型的な複数のＢＳ協調受信ネットワークを示し、ＢＳ１０はモバイル端末２０のサービスＢＳであり、ＢＳ１０に隣接する２つのＢＳ１１および１２は補助ＢＳである。もちろん、他のモバイル端末に対して、３つのＢＳの状態は変わることができ、または他のＢＳは、サービスＢＳまたは補助ＢＳの役割を果たすことができる。
【０００５】
補助ＢＳ１１および１２は、モバイル端末によって送信された信号を有線のバックホール・リンク（Ｘ２インタフェースなど）を介してサービスＢＳ１０に転送する。バックホール・リンクの遅延は完全に本質的なものであり、通常は、最大１０ミリ秒（ｍｓ）またはそれ以上である。
【０００６】
図２はＬＴＥ規格の同時アップリンクＨＡＲＱプロセスを示しており、モバイル端末がアップリンク・データを送信した後、待ち時間は一般的に４ミリ秒である。つまり、図２において、アップリンクＨＡＲＱプロセス１のアップリンク・サービス・データをサブフレーム４で送信した後、サブフレーム８で応答を受信する必要があり、モバイル端末がサブフレーム８において、受信成功を示すＡＣＫメッセージと、受信失敗を示すＮＡＣＫメッセージとのいずれも受信しなければ、モバイル端末は、以前に送信されたアップリンク信号が受信機によって正しく受信されていないと処理するため、後で再転送する。
【０００７】
しかし、複数のＢＳ協調受信ネットワークにより、ＢＳの間の信号の転送および信号の結合により生じる合計遅延時間は、１０ミリ秒以上であり、これは、ＬＴＥ規格を用いた同時アップリンクＨＡＲＱプロセスの応答時間制限に矛盾している。
【０００８】
ＬＴＥＡ規格では、アップリンクＨＡＲＱプロセスがＬＴＥの提案に従うかどうかはまだ定義されておらず、ＬＴＥと同じ同時アップリンクＨＡＲＱ技術を使用するＬＴＥＡ規格の場合、技術的問題はＬＴＥと同じになる。これに対して、ＬＴＥＡについては、人々は、複数のＢＳ協調受信および同時アップリンクＨＡＲＱと互換性を持つ利用可能な提案を提供する必要もある。
【発明の概要】
【発明が解決しようとする課題】
【０００９】
上記の従来技術の問題に対処するために、本発明で提案する解決策では、サービスＢＳは、同時アップリンクＨＡＲＱプロセスの受信応答時間制限が終了した後のみ、信号の結合を終了し、そのような複数のＢＳ協調受信ネットワークにおいて同時アップリンクＨＡＲＱプロセスを実装することができ、サービスＢＳは、アップリンク信号の送信の後に、常に遅延指示情報を応答時間制限内にモバイル端末に送信する。このとき、補助ＢＳが転送された信号を送信するかどうか、および信号の結合が完成したかどうかは関係なく、また、サービスＢＳ自体が、モバイル端末によって直接送信されたアップリンク信号を正しく受信したかどうかは関係ない。遅延指示情報は、アップリンクＨＡＲＱプロセスに対する追跡信号の送信を遅らせるようにモバイル端末を指示するために使用される。モバイル端末は、遅延指示情報を受信した後に、サービスＢＳからの追跡指示を待ち、追跡指示を受信する前には、ＨＡＲＱプロセスのアップリンク信号を送信しない。信号の結合が終了した後に、サービスＢＳは、結合の結果に基づいてモバイル端末に新しい指示を送信する。再転送するか、または新しい初期転送を開始するかということである。
【００１０】
好ましくは、サービスＢＳは、モバイル端末において、アップリンク信号の送信の遅延のために解放された無線資源を他のモバイル端末に割り当てるか、またはリソース利用率を改善するために、他の用途のためにそのモバイル端末に割り当てる。
【００１１】
特に、本発明の一態様によれば、複数のＢＳ協調受信ネットワークのサービスＢＳにおいて同時アップリンクＨＡＲＱプロセスを実装するために使用する方法が提供され、この方法においては、同時アップリンクＨＡＲＱプロセスの応答時間制限が終了した後に、サービスＢＳは信号の結合を終了する。この方法は、ａ）同時アップリンクＨＡＲＱプロセスに対してモバイル端末によって送信された第１のアップリンク信号を受信するステップと、ｂ）同時アップリンクＨＡＲＱプロセスの応答時間制限が終了する前に、モバイル端末に遅延指示情報を送信するステップであって、この情報は、同時アップリンクＨＡＲＱプロセスに対する追跡アップリンク信号の送信を遅らせるように指示するステップとを含み、この方法は、ｉ）第１のアップリンク信号を受信した後に、少なくとも１つの補助ＢＳによって転送される、転送された信号を受信することと、ｉｉ）受信した第１のアップリンク信号を転送された信号に結合し、結合の結果に基づいて、同時アップリンクＨＡＲＱプロセスに対する追跡アップリンク信号を送信するようにモバイル端末に指示することとをさらに含む。
【００１２】
本発明の他の態様によると、複数のＢＳ協調受信ネットワークのモバイル端末において同時アップリンクＨＡＲＱプロセスを実装するために使用する方法が提供され、この方法においては、同時アップリンクＨＡＲＱプロセスの応答時間制限が終了した後に、サービスＢＳは信号の結合を完了し、この方法は、Ａ）同時アップリンクＨＡＲＱプロセスに対するアップリンク信号を送信し、アップリンク信号のデータをバッファに格納するステップと、Ｂ）同時アップリンクＨＡＲＱプロセスの応答時間制限が終了する前に、サービスＢＳから遅延指示の情報を受信するステップであって、この情報は、同時アップリンクＨＡＲＱプロセスに対する追跡アップリンク信号の送信を遅らせるように指示するステップと、Ｃ）同時アップリンクＨＡＲＱプロセスに対する追跡アップリンク信号の送信を遅らせ、サービスＢＳから指示の情報を待つステップと、Ｄ）サービスＢＳから指示の情報を受信するステップと、Ｅ）指示の情報に基づいて、同時アップリンクＨＡＲＱプロセスに対する追跡アップリンク信号を送信するステップとを含む。
【００１３】
本発明のさらに他の態様によると、複数のＢＳ協調受信ネットワークのサービスＢＳにおいて同時アップリンクＨＡＲＱプロセスを実装するために使用する方法が提供され、この方法においては、同時アップリンクＨＡＲＱプロセスは、複数のＢＳ協調されるネットワークの遅延に一致する応答時間制限を持ち、この方法は、ｍ）同時アップリンクＨＡＲＱプロセスに対してモバイル端末によって送信された第２のアップリンク信号を受信するステップを含み、ｘ）第２のアップリンク信号を受信した後に、少なくとも１つの補助ＢＳによって転送される、転送された信号を受信するステップをさらに含み、ステップｍおよびｘの後に、−第２のアップリンク信号を転送された信号に結合するステップと、−結合の後に、同時アップリンクＨＡＲＱプロセスの受信応答をモバイル端末に送信するステップとをさらに含む。
【００１４】
本発明のさらに他の態様によると、複数のＢＳ協調受信ネットワークのモバイル端末において同時アップリンクＨＡＲＱプロセスを実装のために使用する方法が提供され、この方法においては、同時アップリンクＨＡＲＱプロセスは、複数のＢＳ協調受信ネットワークの遅延に一致する応答時間制限を持ち、この方法は、Ｏ）同時アップリンクＨＡＲＱプロセスに対するアップリンク信号を送信し、アップリンク信号のデータをバッファに格納するステップと、Ｐ）同時アップリンクＨＡＲＱプロセスに対する追跡アップリンク信号の送信を遅らせ、サービスＢＳから指示の情報を待つステップと、Ｒ）サービスＢＳから指示の情報を受信するステップと、Ｓ）指示の情報に基づいて、同時アップリンクＨＡＲＱプロセスに対する追跡アップリンク信号を送信するステップとを含む。
【００１５】
これに加えて、複数のＢＳ協調受信ネットワークにおいて同時アップリンクＨＡＲＱプロセスを実装するために、サービスＢＳがモバイル端末からアップリンク信号を受信した後に、サービスＢＳは、受信反応をモバイル端末に返さないが、信号結合の完了を待ち、信号結合が完了した後に、アップリンクＨＡＲＱプロセスに対する受信応答をモバイル端末に送信する。
【００１６】
好ましくは、サービスＢＳは、リソース利用率を改善するために、モバイル端末において、アップリンク信号の送信の遅延のために解放された無線資源を再割り当てする。
【００１７】
本発明のさらに他の態様によると、複数のＢＳ協調受信ネットワークのサービスＢＳにおいて同時アップリンクＨＡＲＱプロセスを実装するために使用される第１の装置が提供され、同時アップリンクＨＡＲＱプロセスの応答時間制限が終了した後に、サービスＢＳは信号の結合を完了し、第１の装置は、同時アップリンクＨＡＲＱプロセスに対してモバイル端末によって送信される第１のアップリンク信号を受信するために使用される第１の受信手段と、同時アップリンクＨＡＲＱプロセスの応答時間制限が終了する前に、遅延指示情報をモバイル端末に送信するために使用される第１の送信手段であって、この情報は、同時アップリンクＨＡＲＱプロセスに対する追跡アップリンク信号の送信を遅らせるように指示する送信手段と、第１のアップリンク信号を受信した後に、少なくとも１つの補助ＢＳによって転送される、転送された信号を受信するために使用される第２の受信手段と、受信した第１のアップリンク信号を転送された信号に結合し、結合の結果に基づいて、同時アップリンクＨＡＲＱプロセスに対する追跡アップリンク信号を送信するようにモバイル端末に指示するために使用される結合処理手段とを含む。
【００１８】
本発明のさらに他の態様によると、複数のＢＳ協調受信ネットワークのモバイル端末において同時アップリンクＨＡＲＱプロセスを実装するために使用される第２の装置が提供され、同時アップリンクＨＡＲＱプロセスの応答時間制限が終了した後に、サービスＢＳは信号の結合を完了し、第２の装置は、同時アップリンクＨＡＲＱプロセスに対してアップリンク信号を送信し、アップリンク信号のデータをバッファに格納するために使用される第１の送信処理手段と、同時アップリンクＨＡＲＱプロセスの応答時間制限が終了する前に、サービスＢＳから遅延指示の情報を受信し、同時アップリンクＨＡＲＱプロセスに対する追跡アップリンク信号の送信を遅延するように指示するために使用される第３の受信手段と、同時アップリンクＨＡＲＱプロセスに対する追跡アップリンク信号の送信をモバイル端末に遅れさせ、サービスＢＳからの指示の情報を待つために使用される第１の遅延手段と、サービスＢＳから指示の情報を受信するために使用される第４の受信手段と、指示の情報に基づいて、同時アップリンクＨＡＲＱプロセスに対する追跡アップリンク信号を送信するために使用される第２の送信手段とを含む。
【００１９】
本発明のさらに他の態様によると、複数のＢＳ協調受信ネットワークのサービスＢＳにおいて同時アップリンクＨＡＲＱプロセスを実装するために使用される第３の装置が提供され、同時アップリンクＨＡＲＱプロセスは、複数のＢＳ協調されるネットワークの遅延に一致する応答時間制限を持ち、第３の装置は、同時アップリンクＨＡＲＱプロセスに対してモバイル端末によって送信された第２のアップリンク信号を受信するために使用される第５の受信手段と、第２のアップリンク信号を受信した後に、少なくとも１つの補助ＢＳによって転送される、転送された信号を受信するために使用される第６の受信手段と、第２のアップリンク信号を転送された信号に結合するために使用される結合手段と、結合の後に、同時アップリンクＨＡＲＱプロセスに対する受信応答をモバイル端末に送信するために使用される第３の送信手段とを含む。
【００２０】
本発明のさらに他の態様によると、複数のＢＳ協調受信ネットワークのモバイル端末において同時アップリンクＨＡＲＱプロセスを実装するために使用される第４の装置が提供され、同時アップリンクＨＡＲＱプロセスは、複数のＢＳ協調されるネットワークの遅延に一致する応答時間制限を持ち、第４の装置は、同時アップリンクＨＡＲＱプロセスに対して第２のアップリンク信号を送信し、第２のアップリンク信号のデータをバッファに格納するために使用される第２の送信処理手段と、同時アップリンクＨＡＲＱプロセスに対する追跡アップリンク信号の送信を遅らせ、サービスＢＳから指示の情報を待つために使用される第２の遅延手段と、サービスＢＳから指示の情報を受信するために使用される第７の受信手段と、指示の情報に基づいて、同時アップリンクＨＡＲＱプロセスに対する追跡アップリンク信号を送信するために使用される第４の送信手段とを含む。
【００２１】
本発明で提供される方法および装置を使用することで、複数のＢＳ協調受信ネットワークにおいて大きな遅延がある場合に、同時アップリンクＨＡＲＱプロセスを正しく実装することができるため、モバイル端末の後方互換性を保証し、リソース利用率およびシステム性能を改善することができる。
【００２２】
図を参照しながら限定を目的としない実施形態の詳細を読むことによって、本発明の他の特徴、目的、および利点がより明白になるであろう。
【００２３】
次に示す図と共に限定を目的としない実施形態の詳細を読むことによって、本発明の他の目的、特徴、および利点がより明白になるであろう。同一または類似の引用符号は、同一または類似の装置または手順の特性を意味する。
【図面の簡単な説明】
【００２４】
【図１】典型的な複数のＢＳ協調受信ネットワークを示す図である。
【図２】ＬＴＥ規格における既存の同時アップリンクＨＡＲＱプロセスを示す図である。
【図３】本発明の第１の実施形態による、複数のＢＳ協調受信ネットワークにおいて同時アップリンクＨＡＲＱプロセスを実装するシステムの方法のフローチャートを示す図である。
【図４】本発明の第１の実施形態による、複数のＢＳ協調受信ネットワークにおいて同時アップリンクＨＡＲＱプロセスを実装する信号フロー図である。
【図５】本発明の第２の実施形態による、複数のＢＳ協調受信ネットワークにおいて同時アップリンクＨＡＲＱプロセスを実装するシステムの方法のフローチャートを示す図である。
【図６】本発明の第２の実施形態による、複数のＢＳ協調受信ネットワークにおいて同時アップリンクＨＡＲＱプロセスを実装する信号フロー図である。
【図７】本発明の第１の実施形態による、複数のＢＳ協調受信ネットワークのＢＳにおいて同時アップリンクＨＡＲＱプロセスを実装する第１の装置を示すブロック図である。
【図８】本発明の第１の実施形態による、複数のＢＳ協調受信ネットワークのモバイル端末において同時アップリンクＨＡＲＱプロセスを実装する第２の装置を示すブロック図である。
【図９】本発明の第２の実施形態による、複数のＢＳ協調受信ネットワークのＢＳにおいて同時アップリンクＨＡＲＱプロセスを実装する第３の装置を示すブロック図である。
【図１０】本発明の第２の実施形態による、複数のＢＳ協調受信ネットワークのモバイル端末において同時アップリンクＨＡＲＱプロセスを実装する第４の装置を示すブロック図である。
【発明を実施するための形態】
【００２５】
第１の実施形態
本発明による第１の実施形態の方法によるフローは、図１と共に図３を参照することによって、システムの観点から説明されるだろう。図３は、本発明の第１の実施形態による、複数のＢＳ協調受信ネットワークにおいて同時アップリンクＨＡＲＱプロセスを実装するシステムの方法のフローチャートを示す。ＢＳ間の有線バックホール・リンクに基づく転送された信号の受信および結合を通じて、サービスＢＳ１０（以下ＢＳ１０と呼ぶ）によって生じる合計遅延時間（たとえば、１０ミリ秒）は、モバイル端末１のアップリンクＨＡＲＱプロセスの応答時間制限（たとえば、４ミリ秒）より大きい。すなわち、応答時間制限が終了した後にのみ、ＢＳ１０は信号の結合を完了する。大部分の損失がなければ、ネットワークおよび内部のモバイル端末は、３ＧＰＰ  Ｌｏｎｇ  Ｔｅｒｍ  Ｅｖｏｌｕｔｉｏｎ、または３ＧＰＰ  Ｌｏｎｇ  Ｔｅｒｍ  Ｅｖｏｌｕｔｉｏｎのさらに発展形に基づく。
【００２６】
図３に示すプロセスを詳しく記述するために、図４に示す信号フロー図をさらに参照する。この図では、信号フローは図３のプロセスに対応し、フレームｉおよび続くフレームｉ＋１を示し、各フレームは１０個のサブフレームを持つ。各サブフレームの長さは１ミリ秒である。
【００２７】
第１の実施形態では、最初に、図４のサブフレーム１に示すように、モバイル端末２０は、ステップ２０で同時アップリンクＨＡＲＱプロセス１（ＨＡＲＱプロセス１と呼ぶ）の第１のアップリンク信号を送信する。
【００２８】
次に、ＢＳ１０だけでなく、ＢＳ１１および１２は、それぞれ第１のアップリンク信号を受信する。追跡結合を実行するために、ステップＳ１２において、ＢＳ１１および１２は、受信した第１のアップリンク信号をＢＳ間のバックホール・リンクを介してＢＳ１０に送信する。この場合、補助ＢＳによってモバイル端末から受信され、サービスＢＳへ転送される信号は、転送された信号と呼ばれる。
【００２９】
それぞれステップＳ２０およびステップＳ１２において、ＢＳ１０は、モバイル端末２０によって直接送信された第１のアップリンク信号、ならびにＢＳ１１および１２によって転送される、転送された信号を受信する。次のステップＳ１２において、ＢＳ１０は信号のこれら２つの部分を結合し、結合の結果を得る。
【００３０】
一般的に、各ＢＳが第１のアップリンク信号を受信した直後に、信号転送プロセスが開始するが、それは比較的時間がかかり、このプロセスと、後に記述する続くステップＳ１０、Ｓ２１、Ｓ１１の間に厳密な時間的な順序はないことは当業者には自明であろう。好ましくは、ステップＳ１０、Ｓ２１、Ｓ１１は、ＢＳ間のバックホール・リンクにおいて信号転送プロセスの間に実行される。
【００３１】
複数のＢＳ協調受信ネットワークにおいて、利得を組み合わせることで、信号受信の正しい割合を改善できる。このように、ＢＳ１０は、モバイル端末２０の再転送の数をできるだけ減少させることを試みる。既存の規格に基づいてモバイル端末の後方互換性を実現するために、図４に示す複数のＢＳ協調受信は端末に対して透過的である。言い換えると、モバイル端末２０は、図２に示すＬＴＥネットワークに関してＢＳ１１、１２、およびＢＳ１０間の同時アップリンクＨＡＲＱプロセスに関する応答時間制限を認識しない。モバイル端末２０がフレームｉのサブフレーム５でＢＳ１０の受信応答を取得できない場合は、ＢＳがサブフレーム１において送信されたアップリンク信号を正しく受信していないと認識され、サブフレーム９で再転送される。明らかに、これは回避するべきである。
【００３２】
これに関して、ステップＳ１０において、ＢＳ１０は、ＨＡＲＱプロセス１に対する追跡アップリンク信号の送信を遅らせるようにモバイル端末２０に指示するために使用される遅延指示情報をモバイル端末２０に送信する。第１の実施形態によると、この遅延指示の情報を受信した後に、モバイル端末２０は、ＨＡＲＱプロセス１の追跡アップリンク信号を送信しない。この実施形態では、モバイル端末２０がフレームｉのサブフレーム１において第１アップリンク信号を送信した後に、いわゆる追跡アップリンク信号は、第１のアップリンク信号によって運ばれたデータの再転送（再転送のために送信されたアップリンク信号は、新しい第１のアップリンク信号として処理することができる）と第１のアップリンク信号が送信された後に実施される新しい初期転送（新しい初期転送のために送信されるアップリンク信号も、新しい第１のアップリンク信号として処理することができる）という状況を含むことを理解されたい。
【００３３】
好ましくは、図１に示すモバイル端末２０が３ＧＰＰ  Ｌｏｎｇ  Ｔｅｒｍ  Ｅｖｏｌｕａｔｉｏｎに基づく場合、ＢＳ１０によって送信される遅延指示の情報はＡＣＫ情報である。３ＧＰＰ  ＬＴＥ規格では、ＡＣＫ情報を受信した後に、モバイル端末は、ＰＤＣＣＨにおいてＢＳによって送信される制御情報を待ち、次のアップリンク信号転送を実行する。
【００３４】
これに基づいて、モバイル端末２０は、サブフレーム９においてＨＡＲＱプロセス１に対する追跡アップリンク信号を送信しないが、ＢＳ１０のさらなる指示を待つ。
【００３５】
好ましくは、第１のアップリンク信号と転送された信号との結合の結果は、ＢＳ１０ではまだ利用可能ではないため、ステップＳ２０において第１のアップリンク信号を送信した後に（フレームｉのサブフレーム１に対応）、モバイル端末２０は、ＢＳ１０での結合が成功することを確認できない。このため、第１のアップリンク信号を送信した後に、モバイル端末２０は、第１のアップリンク信号のデータをバッファに格納し、ＢＳ１０の結合が失敗したら、ＢＳ１０の指示によりモバイル端末２０は再転送を実行する。
【００３６】
複数のＢＳ協調受信によって生じる大きな遅延は、３ＧＰＰ  ＬＴＥにおける同時アップリンクＨＡＲＱプロセスにとって極めて重要であることを考えると、その結果、第１のアップリンク信号を送信した後に、通常、モバイル端末２０は、次の転送のために指示される前に、しばらくの間待機するため、無線資源（サブフレームなど）（元は追跡アップリンク信号を転送するために、このモバイル端末２０によって使用するように指定された）は解放される。好ましくは、これらの解放された無線資源をより有効に使用するために、サブフレーム９の無線資源は、ＢＳ１０によって他のモバイル端末に再割り当てされる。再割り当てによって引き起こされる障害を回避するために、ＢＳ１０と通信するために再割り当てされたサブフレーム９を使用するときに、他のモバイル端末は、モバイル端末２０とは異なる周波数資源を使用するだろうことは当業者には自明であろう。
【００３７】
上記のように、ＢＳ間の信号転送の遅延が最大であるため、ステップＳ１０、Ｓ２１、およびＳ１１は、最も時間のかかる転送および信号結合プロセスと同期して機能することが好ましい。このため、ステップＳ１３において信号の結合が最終的に完了したときに、モバイル端末２０は、ＢＳ１０からのさらなる指示を待っている。
【００３８】
図４に示すように、ＢＳ１０は、フレームｉ＋１のサブフレーム３においてＰＤＣＣＨ指示情報をモバイル端末２０に送信し、指示情報は、ステップＳ１３での信号の結合の結果に準拠する。結合が成功した場合、モバイル端末２０に再転送させる必要がないため、指示情報は、モバイル端末２０が新しい初期転送を開始できることを示す。反対に、結合が失敗した場合、モバイル端末２０に再転送させることが好ましい。モバイル端末２０が第１のアップリンク信号のデータを既にバッファに格納している場合は、指示情報に基づいて、ＢＳ１０、１１、および１２にデータを再転送することができる。その後、基本的には、図３の各プロセスが再実行されるため、不必要な記述は行わない。
【００３９】
第２の実施形態
本発明による第２の実施形態の方法によるフローは、図１と共に図５を参照することによって、システムの観点から説明されるだろう。第２の実施形態のサービスＢＳおよびモバイル端末は、第１の実施形態のものとは異なるため、これらにはＢＳ１０’およびモバイル端末２０’というラベルが、それぞれに付けられる。
【００４０】
図５は、本発明の第２の実施形態による、複数のＢＳ協調受信ネットワークにおいて同時アップリンクＨＡＲＱプロセスを実装するシステムの方法のフローチャートを示す。大部分の損失がなければ、本明細書に記載のネットワークおよびモバイル端末は、３ＧＰＰ  Ｌｏｎｇ  Ｔｅｒｍ  Ｅｖｏｌｕｔｉｏｎのさらに発展形に基づき、同時アップリンクＨＡＲＱプロセスは、複数のＢＳ協調受信ネットワークの遅延に一致する応答時間制限を持つ。モバイル端末２０’は、第２のアップリンク信号を送信した後に、結合の結果に基づいてＢＳ１０から送信される指示情報を待ち、その後、指示された新しい初期転送または再転送を実行する。
【００４１】
図５に示すプロセスについてより詳しく記述するために、図６に示す信号フロー図も参照する。信号フローは図５の中のプロセスに対応し、フレームｉ、フレームｉ＋１を示し、各フレームは１０個のサブフレームを持つ。ここで、各サブフレームの長さは１ミリ秒である。
【００４２】
第２の実施形態では、最初に、図６のサブフレーム１に示すように、モバイル端末２０’は、ステップ２０’で同時アップリンクＨＡＲＱプロセス１’（ＨＡＲＱプロセス’１と呼ぶ）に対する第２のアップリンク信号を送信する。
【００４３】
次に、ＢＳ１０、ＢＳ１１、およびＢＳ１２はすべて、第２のアップリンク信号を受信する。追跡結合を実行するために、ステップＳ１２において、ＢＳ１１および１２は受信した第２のアップリンク信号をＢＳ間の有線バックホール・リンクを介してＢＳ１０に送信する。本実施形態では、補助ＢＳによってモバイル端末から受信され、サービスＢＳへ転送される信号は、転送された信号と呼ばれる。
【００４４】
ステップＳ２０’およびステップＳ１２’のそれぞれにおいて、ＢＳ１０は、モバイル端末２０によって直接送信された第２のアップリンク信号、ならびにＢＳ１１および１２によって転送される、転送された信号を受信する。次のステップＳ１３’において、ＢＳ１０は信号のこれら２つの部分を結合し、結合の結果を得る。
【００４５】
第２の実施形態では、ＨＡＲＱプロセス１’は、ＢＳ１０、１１、および１２が配置される複数のＢＳ協調受信ネットワークの遅延に一致する応答時間制限を持ち、ある状況では、モバイル端末２０がフレームｉのサブフレーム１において第２のアップリンク・データを送信した後に、ＢＳ１０から他の指示を受信するまで、ＢＳ１０からの指示なくＨＡＲＱプロセス１’に対する追跡アップリンク信号の送信を遅らせる。現在の場合、追跡信号には次の状況が含まれる。第２のアップリンク信号によって運ばれたデータの再転送。再転送のために送信されたアップリンク信号は、新しい第２のアップリンク信号として処理することができる。第２のアップリンク信号を送信した後の新しい初期転送。新しい最初の再転送のために送信されたアップリンク信号も、新しい第２のアップリンク信号として処理することができる。
【００４６】
第１の実施形態と同様に、複数のＢＳ協調受信ネットワークの大きな遅延を適応させるために、モバイル端末２０は、フレームｉのサブフレーム９を解放する。これはアップリンク信号の送信に使用されることになる。好ましくは、資源利用率を改善するために、ステップＳ１１’において、ＢＳ１０は、このサブフレームを他のモバイル端末に再割り当てする。
【００４７】
これに基づいて、モバイル端末２０は、サブフレーム９においてＨＡＲＱプロセスに対する追跡信号を送信しないが、ＢＳ１０からの他の指示を待つ。
【００４８】
好ましくは、第１のアップリンク信号および転送された信号の結合の結果は、ＢＳ１０ではまだ利用できないため、ステップＳ２０’において第１のアップリンク信号を送信した後に（フレームｉのサブフレーム１に対応）、モバイル端末２０は、ＢＳ１０での結合が成功することを確認できない。このため、第１のアップリンク信号を送信した後に、モバイル端末２０は、第１のアップリンク信号のデータをバッファに格納し、ＢＳ１０の結合が失敗したら、ＢＳ１０の指示によりモバイル端末２０は再転送を実行する。
【００４９】
図６に示すように、ステップＳ１４’において、ＢＳ１０は、フレームｉ＋１のサブフレーム３においてモバイル端末２０に対するＨＡＲＱフィードバックおよび／またはＰＤＣＣＨ制御信号を送信する。
【００５０】
ＢＳ１０がＨＡＲＱフィードバック、すなわちＡＣＫ情報またはＮＡＣＫ情報だけをモバイル端末２０に送信する場合、モバイル端末２０によって送信される追跡アップリンク信号は、以前割り当てられた無線資源、特に周波数資源をまだ使用できることを意味する。モバイル端末２０は、受信した情報がＡＣＫ情報かＮＡＣＫ情報かにより、新しい初期転送を始めるべきかバッファに格納されたデータを再転送するべきかを判断し、ステップＳ２２’で処理を実行する。
【００５１】
ＢＳ１０がＰＤＣＣＨの制御情報のみをモバイル端末２０に送信する場合、制御情報は、フレーム１で送信された第１のアップリンク信号の受信が成功か失敗かをモバイル端末２０に通知し、新しいリソース割り当て、特に周波数資源を与えることができる。モバイル端末２０は、制御情報に基づいて、ステップＳ２２’において、新しい初期転送を始めるか、または再転送を行う。
【００５２】
ＢＳ１０がＨＡＲＱフィードバックおよびＰＤＣＣＨの制御信号をモバイル端末２０に送信する場合、モバイル端末２０は、受信した情報がＡＣＫ情報かＮＡＣＫ情報かにより、およびＰＤＣＣＨの制御情報により、新しい初期転送を始めるべきかバッファに格納されたデータを再転送するべきかを判断し、その一方、追跡アップリンク信号の転送に使用された無線資源は、ＰＤＣＣＨの制御情報の指示に従う。
【００５３】
この方法を詳細に説明した後に、次の文章において、信号フロー図と共に上記のシステムの方法のフローチャートを併せて、デバイス・ブロック図を参照してデバイス部に関して簡単に説明する。
【００５４】
第１の実施形態
図７は、本発明の第１の実施形態による、複数のＢＳ協調受信ネットワークのＢＳにおいて同時アップリンクＨＡＲＱプロセスを実装する第１の装置を示すブロック図である。図８は、本発明の第１の実施形態による、複数のＢＳ協調受信ネットワークのモバイル端末において同時アップリンクＨＡＲＱプロセスを実装する第２の装置を示すブロック図である。
【００５５】
モバイル端末２０の第２の装置２００の第１送信処理手段２００は、図３のステップＳ２０を実行し、送信されたデータをバッファに格納する。
【００５６】
ＢＳ１０の第１の装置１００の第１の受信手段１０００は、送信された第１のアップリンク信号を受信する。次に、第１の送信手段１００１は、遅延指示情報をモバイル端末２０に送信し、モバイル端末２０にＨＡＲＱプロセス１に対する追跡アップリンク信号の送信を遅らせるように指示する。
【００５７】
遅延指示情報は、モバイル端末２０の第３の受信手段２００１によって受信され、第１の遅延手段２００２に送られる。後者は、遅延指示情報により、モバイル端末２０にＨＡＲＱプロセス１に対するアップリンク信号の送信を遅れさせる。
【００５８】
第１の再割り当て手段１００４は、上記の理由から解放された無線資源の再割り当て、たとえば、他のモバイル端末への割り当てを担当する。
【００５９】
好ましくは、上記のプロセスと同期して、ＢＳ１１および１２は、受信し第１のアップリンク信号をＢＳ１０に転送し、第２の受信手段１００２は、転送された信号の受信、および結合処理手段１００３にそれを送ることを担当する。さらに、第１の受信手段１０００は、受信した第１のアップリンク信号を結合処理手段１００３にも伝える。
【００６０】
結合処理手段１００３は、第１の受信手段１０００および第２の受信手段１００２から送信された信号を結合し、ＨＡＲＱプロセス１において、結合の結果に基づいて、モバイル端末２０の追跡アップリンク信号に対する指示を送信する。すなわち、図３のステップＳ１４を実行する。
【００６１】
モバイル端末２０の第４の受信手段２００３は、結合処理手段１００３から送信された指示を受信し、第１の送信処理手段２０００に転送する。後者は、具体的に、ＢＳ１０の指示により、追跡アップリンク信号を送信する。その結果、第２の装置２００は、第１の装置１００との処理プロセスを終了した。その後、新しい第１のアップリンク信号に対して、上記の各処理を繰り返す必要があるだけなので、不必要な記述は行わない。
【００６２】
第２の実施形態
図９は、本発明の第２の実施形態による、複数のＢＳ協調受信ネットワークのＢＳにおいて同時アップリンクＨＡＲＱプロセスを実装する第３の装置を示すブロック図である。図１０は、本発明の第２の実施形態による、複数のＢＳ協調受信ネットワークのモバイル端末において同時アップリンクＨＡＲＱプロセスを実装する第４の装置を示すブロック図である。第３の装置３０および第４の装置４０に関する以下の説明では、図５および図６を参照する。
【００６３】
最初に、モバイル端末２０の第２の送信処理手段４０００は、第２のアップリンク信号を送信し、第２のアップリンク信号は、ＢＳ１０、１１、および１２によって受信される。そして、信号はＢＳ１１および１２によってＢＳ１０に転送される。
【００６４】
ＢＳ１０の第５の受信手段３０００は第２のアップリンク信号を受信する。また、第６の受信手段３００１は、ＢＳ１１および１２によって送信される、転送された信号を受信する。両者によって受信された信号は、信号の結合を実行するために結合手段３００２に提供される。
【００６５】
結合手段３００２によって得られた結合の結果は、第２の送信手段３００３に提供され、結合の結果により、後者は、モバイル端末２０に対してステップＳ１４’の指示を提供する。
【００６６】
モバイル端末２０の第７の受信手段４００２は、指示情報を受信し、第２の送信処理手段４０００に提供して、指示情報に基づいて、後者は再転送または新しい初期転送を実行する、
【００６７】
第２のアップリンク信号が送信された後に、第２の遅延手段４００１は、モバイル端末２０にＨＡＲＱプロセス１’に対する追跡アップリンク信号の送信を遅れさせる。
【００６８】
好ましくは、ＢＳ１０の第２の再割り当て手段３００４は、資源利用を改善するために、モバイル端末２０において、ＨＡＲＱプロセス１のアップリンク信号を他のモバイル端末に送信するのを遅延させたために解放された無線資源の再割り当てを担当する。
【００６９】
上に本発明の実施形態について記述した。注意する必要があることは、本発明は上記の特定の実施形態に限定されるものではなく、当業者であれば、添付の特許請求の範囲内において様々な変更または修正を行うことができることである。
【図１】
0005220954.tif 000002
【図２】
0005220954.tif 000003
【図３】
0005220954.tif 000004
【図４】
0005220954.tif 000005
【図５】
0005220954.tif 000006
【図６】
0005220954.tif 000007
【図７】
0005220954.tif 000008
【図８】
0005220954.tif 000009
【図９】
0005220954.tif 000010
【図１０】
0005220954.tif 000011